Podtech/llm-jp-corpus-v4-ja_patent huggingface dataset:
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
複数のオペレーティングシステム（１１Ａ、１１Ｂ）が動作するシステムが構築されている制御部（１０）と、
前記システムの不具合を監視する複数の監視部（２１、２２、２３）と、を備え、
複数の前記監視部は、前記システムを複数の階層に区分けした各階層に対してそれぞれ監視を行い、不具合が生じた場合、階層単位で不具合を解消するものであり、前記制御部の外部に設けられ、前記制御部を監視対象とする第１階層において監視を行う第１監視部（２１）と、前記制御部上に設けられ、オペレーティングシステムを監視対象とする第２階層において監視を行う第２監視部（２２）と、前記オペレーティングシステム上に設けられ、アプリケーションプログラムを監視対象とする第３階層において監視を行う第３監視部（２３）と、を備え、
前記第１監視部は、前記制御部に不具合が生じた場合、前記制御部の全体を再起動することにより不具合を解消し、
前記第２監視部は、オペレーティングシステムに不具合が生じた場合、不具合が生じたオペレーティングシステムを再起動することにより不具合を解消し、
前記第３監視部は、アプリケーションプログラムに不具合が生じた場合、不具合が生じたアプリケーションプログラムを再起動することにより不具合を解消する車両用装置。
【請求項２】
複数のオペレーティングシステム（１１Ａ、１１Ｂ）が動作するシステムが構築されている制御部（１０）と、
前記システムの不具合を監視する複数の監視部（２１、２２、２３）と、を備え、
複数の前記監視部は、前記システムを複数の階層に区分けした各階層に対してそれぞれ監視を行い、不具合が生じた場合、階層単位で不具合を解消するものであり、各階層で不具合を解消する際、当該階層で利用されているデバイスを初期化の対象に含める車両用装置。
【請求項３】
複数のオペレーティングシステムは、相対的に安定性が高い第１のオペレーティングシステム（１１Ａ）と、前記第１のオペレーティングシステムに比べると相対的に安定性が低い第２のオペレーティングシステム（１１Ｂ）と、を含み、
前記第２監視部は、前記第１のオペレーティングシステムに設けられ、前記第２のオペレーティングシステムを監視する請求項１記載の車両用装置。
【請求項４】
前記第３監視部は、アプリケーションプログラムを再起動しても不具合を解消できない場合、前記第２監視部に対して不具合の解消を指示し、
前記第２監視部は、オペレーティングシステムを再起動しても不具合を解消できない場合、前記第１監視部に対して不具合の解消を指示する請求項１または３記載の車両用装置。
【請求項５】
複数の前記監視部は、前記デバイスのうち、１つのオペレーティングシステムに占有される占有デバイスと、複数のオペレーティングシステムで共有される共有デバイスとで、
不具合を解消した後の初期化シーケンスを変更する請求項２記載の車両用装置。
【請求項６】
複数の前記監視部は、不具合を解消するために入力された操作に基づいて、不具合を解消する請求項１から５のいずれか一項記載の車両用装置。
【手続補正２】
【補正対象書類名】明細書
【補正対象項目名】０００７
【補正方法】変更
【補正の内容】
【０００７】
上記目的を達成するために、本発明では、車両用装置（１）は、複数のオペレーティングシステム（１１Ａ、１１Ｂ）が動作するシステムが構築されている制御部（１０）と、システムの不具合を監視する複数の監視部（２１、２２、２３）と、を備え、複数の監視部は、システムを複数の階層に区分けした各階層に対してそれぞれ監視を行い、不具合が生じた場合、階層単位で不具合を解消するものであり、制御部の外部に設けられ、制御部を監視対象とする第１階層において監視を行う第１監視部（２１）と、制御部上に設けられ、オペレーティングシステムを監視対象とする第２階層において監視を行う第２監視部（２２）と、オペレーティングシステム上に設けられ、アプリケーションプログラムを監視対象とする第３階層において監視を行う第３監視部（２３）と、を備え、第１監視部は、制御部に不具合が生じた場合、制御部の全体を再起動することにより不具合を解消し、第２監視部は、オペレーティングシステムに不具合が生じた場合、不具合が生じたオペレーティングシステムを再起動することにより不具合を解消し、第３監視部は、アプリケーションプログラムに不具合が生じた場合、不具合が生じたアプリケーションプログラムを再起動することにより不具合を解消する。
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
画素部を有する液晶表示装置であって、
液晶層と、
前記液晶層の下方に設けられた、画素電極及び共通電極と、
前記共通電極の下方に設けられ、前記画素部において前記共通電極とコンタクトホールを介して電気的に接続された配線と、を有し、
前記画素電極のスリットは、前記共通電極と重なる領域を有し、
前記画素部における平面視において、前記配線は、第１の幅で延伸する第１の領域と、前記第１の領域の一部領域から片側のみに突出する第２の領域と、を有し、
前記第２の領域は、開口部を有さず、
平面視において、前記コンタクトホールは、前記一部領域と重なりを有する、液晶表示装置。
【請求項２】
画素部を有する液晶表示装置であって、
液晶層と、
前記液晶層の下方に設けられた、画素電極及び共通電極と、
前記画素電極の下方及び前記共通電極の下方の絶縁層と、
前記画素部において、前記絶縁層に設けられたコンタクトホールを介して、前記共通電極と電気的に接続された配線と、を有し、
前記画素電極のスリットは、前記共通電極と重なる領域を有し、
前記画素部における平面視において、前記配線は、第１の幅で延伸する第１の領域と、前記第１の領域の一部領域から片側のみに突出する第２の領域と、を有し、
前記第２の領域は、開口部を有さず、
平面視において、前記コンタクトホールは、前記一部領域と重なりを有する、液晶表示装置。
【請求項３】
請求項２において、
前記絶縁層は、有機材料を有する、液晶表示装置。
【請求項４】
請求項１乃至３のいずれか一において、
前記画素電極及び前記共通電極の各々は、透光性の電極である、液晶表示装置。
【請求項５】
請求項１乃至４のいずれか一において、
前記配線は、反射性の配線であり、コモン配線としての機能を有する、液晶表示装置。
【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
５ｎｍ〜３０ｎｍの間の波長範囲のＥＵＶ光（１）に対して複数の領域で少なくとも部分的に透過性である膜（２２）を含むＥＵＶグレースケールフィルタ（２１、２５、２６、２８、３０）を備えるＥＵＶ光学ユニット（７、１３）を有する計測システム（２）であって、前記膜が、前記ＥＵＶグレースケールフィルタ（２１、２５、２６、２８、３０）の動作位置において前記ＥＵＶ光（１）のビーム全体と相互作用する、計測システム（２）において、変化する層厚を横切って、少なくとも２つの異なる透過レベルが実現されており、
前記計測システム（２）が、物体平面（４）内の物体フィールド（３）に配置された物体（５）の３次元空中像を、ＥＵＶ照明光で分析し、
前記ＥＵＶグレースケールフィルタ（２１、２５、２６、２８、３０）が、前記ＥＵＶ光学ユニット（７、１３）のフィールド平面（４、１４ａ）内に配置されている
ことを特徴とする計測システム（２）。
【請求項２】
前記ＥＵＶグレースケールフィルタ（２１、２５、２６、２８、３０）の前記膜（２２）が、膜最大透過表面領域において、前記ＥＵＶ光（１）に対して６０％を超える最大透過を有することを特徴とする、請求項１に記載の計測システム。
【請求項３】
前記ＥＵＶグレースケールフィルタ（２１、２５、２６、２８、３０）の前記膜（２２）の表面のパターニング（２９）であり、前記膜（２２）の表面を横切って吸収または反射率を変化させるためのパターニング（２９）を特徴とする、請求項１または２に記載の計測システム。
【請求項４】
前記ＥＵＶグレースケールフィルタ（２１、２５、２６、２８、３０）の前記膜（２２）の表面のコーティング（２４、２７）であり、前記膜（２２）の表面を横切って吸収または反射率を変化させるためのコーティング（２４、２７）を特徴とする、請求項１から３までのいずれか１項に記載の計測システム。
【請求項５】
前記コーティング（２４、２７）が、変化する層厚を有することを特徴とする、請求項４に記載の計測システム。
【手続補正書】
【提出日】令和3年5月19日(2021.5.19)
【手続補正１】
【補正対象書類名】特許請求の範囲
【補正対象項目名】請求項１
【補正方法】変更
【補正の内容】
【請求項１】
車両に搭載され前記車両の周辺の画像を撮像する撮像装置（３）を備えた車両用装置（９、３２）と、前記車両用装置から送信される前記撮像装置により撮像された画像から抽出される特徴点に対応するデータを用いて地図を生成するサーバ（２）と、を備えた地図システム（１、３１）であって、
複数の前記車両用装置から送信される前記データの偏りに基づいて前記データに重み付けを行い、その重み付けに基づいて複数の前記データの少なくとも一部を統合して前記地図を生成する統合部（１１）を備える地図システム。
【手続補正２】
【補正対象書類名】特許請求の範囲
【補正対象項目名】請求項７
【補正方法】変更
【補正の内容】
【請求項７】
車両に搭載され前記車両の周辺の画像を撮像する撮像装置（３）を備えた車両用装置（９、３２）と、前記車両用装置から送信される前記撮像装置により撮像された画像から抽出される特徴点に対応するデータを用いて地図を生成するサーバ（２）と、のうち少なくともいずれか一方に、
複数の前記車両用装置から送信される前記データの偏りに基づいて前記データに重み付けを行い、その重み付けに基づいて複数の前記データの少なくとも一部を統合して前記地図を生成する統合手順を、
実行させる地図生成プログラム。
【手続補正３】
【補正対象書類名】特許請求の範囲
【補正対象項目名】請求項９
【補正方法】変更
【補正の内容】
【請求項９】
車両に搭載され前記車両の周辺の画像を撮像する撮像装置（３）を備えた車両用装置（９、３２）であって、
前記撮像装置により撮像された画像から抽出される特徴点に対応するデータを、複数の前記車両用装置から送信される前記データの偏りに基づいて前記データに重み付けを行い、その重み付けに基づいて複数の前記データの少なくとも一部を統合して地図を生成する統合部（１１）を備えたサーバ（２）に送信する車両用装置。
【手続補正４】
【補正対象書類名】特許請求の範囲
【補正対象項目名】請求項１６
【補正方法】変更
【補正の内容】
【請求項１６】
車両に搭載され前記車両の周辺の画像を撮像する撮像装置（３）を備えた車両用装置（９、３２）から送信される前記撮像装置により撮像された画像から抽出される特徴点に対応するデータを用いて地図を生成するサーバ（２）であって、
複数の前記車両用装置から送信される前記データの偏りに基づいて前記データに重み付けを行い、その重み付けに基づいて複数の前記データの少なくとも一部を統合して前記地図を生成する統合部（１１）を備えるサーバ。
【手続補正５】
【補正対象書類名】明細書
【補正対象項目名】０００７
【補正方法】変更
【補正の内容】
【０００７】
請求項１に記載の地図システムは、車両に搭載され車両の周辺の画像を撮像する撮像装置を備えた車両用装置と、車両用装置から送信される撮像装置により撮像された画像から抽出される特徴点に対応するデータを用いて地図を生成するサーバと、を備えたシステムである。地図システムは、複数の車両用装置から送信されるデータの偏りに基づいてデータに重み付けを行い、その重み付けに基づいて複数のデータの少なくとも一部を統合して地図を生成する統合部を備える。
【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
情報処理装置であって、
アプリケーションが生成したファイルを複数のデータブロックに分割して記憶装置に記憶するブロック処理部と、
複数のデータブロックのそれぞれの記憶場所を特定するための情報およびハッシュ値を含む第１メタデータを記憶装置に記憶するメタデータ処理部と、
ファイルアクセスに第１メタデータを使用することを設定するメタデータ切替部と、を備え、
ファイルが更新された際に、前記ブロック処理部は、更新があったデータブロックを別の記憶場所に記憶し、
前記メタデータ処理部は、更新があったデータブロックを含む複数のデータブロックのそれぞれの記憶場所を特定するための情報およびハッシュ値を含む第２メタデータを記憶装置に記憶し、
前記メタデータ切替部は、ファイルアクセスに第２メタデータを使用することを設定する、
ことを特徴とする情報処理装置。
【請求項２】
前記メタデータ処理部は、更新があったデータブロックと、既に記憶されており且つ更新がなかったデータブロックのそれぞれの記憶場所を特定するための情報およびハッシュ値を含む第２メタデータを記憶装置に記憶する、
ことを特徴とする請求項１に記載の情報処理装置。
【請求項３】
前記メタデータ切替部が、ファイルアクセスに第２メタデータを使用することを設定した後、前記ブロック処理部は、更新前のデータブロックを記憶装置から削除し、前記メタデータ処理部は、第１メタデータを記憶装置から削除する、
ことを特徴とする請求項１または２に記載の情報処理装置。
【請求項４】
アプリケーションがファイルの更新指示と、更新の反映を許可する許可指示をこの順に出力すると、許可指示の前の更新指示が実施されたことを条件として、メタデータ切替部が、メタデータの切り替え処理を実行する、
ことを特徴とする請求項１から３のいずれかに記載の情報処理装置。
【請求項５】
アプリケーションが許可指示を出力するまで、前記ブロック処理部は、更新指示されたファイルをバッファメモリに記憶し、
アプリケーションが許可指示を出力すると、前記ブロック処理部は、バッファメモリに記憶したファイルの記憶装置への書込を開始する、
ことを特徴とする請求項４に記載の情報処理装置。
【請求項６】
記憶装置は、ＳＳＤである、
ことを特徴とする請求項１から５のいずれかに記載の情報処理装置。
【請求項７】
ファイルは、ゲームのセーブデータである、
ことを特徴とする請求項１から６のいずれかに記載の情報処理装置。
【請求項８】
前記メタデータ処理部は、第１メタデータを管理する第１スーパーブロックと、第２メタデータを管理する第２スーパーブロックを記憶装置に記憶する、
ことを特徴とする請求項１から７のいずれかに記載の情報処理装置。
【請求項９】
第１スーパーブロックにアクセスするための第１参照ポインタと、第２スーパーブロックにアクセスするための第２参照ポインタとが記憶装置に記憶され、
前記メタデータ切替部は、第２参照ポインタを選択することで、ファイルアクセスに、第２スーパーブロックおよび第２メタデータを使用することを設定する、
ことを特徴とする請求項８に記載の情報処理装置。
【請求項１０】
コンピュータに、
アプリケーションが生成したファイルを複数のデータブロックに分割して記憶装置に記憶する機能と、
複数のデータブロックのそれぞれの記憶場所を特定するための情報およびハッシュ値を含む第１メタデータを記憶装置に記憶する機能と、
ファイルが更新された際に、更新があったデータブロックを別の記憶場所に記憶する機能と、
更新があったデータブロックを含む複数のデータブロックのそれぞれの記憶場所を特定するための情報およびハッシュ値を含む第２メタデータを記憶装置に記憶する機能と、
ファイルアクセスに第２メタデータを使用することを設定する機能と、
を実現させるためのプログラム。
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
タンクのためのレベルセンダであって、
該レベルセンダは、
中心軸を備える非接触センサを含むセンサ装置と、
磁石が前記中心軸の回りを軸回転するように構成されるように、前記中心軸と整列した長手方向軸を有する前記磁石を含む、被駆動部材であって、前記センサ装置は該被駆動部材の軸回転位置に基づいてタンク内の液体のレベルを判定するように構成された、被駆動部材と、を備え、
前記レベルセンダは、さらに、駆動部材、スイベル、及びフロートを含むフロートアセンブリを備え、前記駆動部材は、前記中心軸の回りに被駆動部材を軸回転させるように構成され、かつ、前記駆動部材は、一端が前記磁石に直接結合され、他端がスイベルに結合され、
前記フロートは、軸方向に延びる駆動通路を有する本体を備えており、前記本体は、中心軸と整列した長手方向軸に沿って上下に移動して前記駆動部材を回転させ、
前記センサ装置を担持するキャリアが、前記タンクの外側に別個に取り付けられており、かつ、前記被駆動部材は前記フロートアセンブリとともに前記タンクの内側に備えられ、前記被駆動部材が前記センサ装置の近傍に配置されるように、前記被駆動部材は前記キャリアと整列されている、レベルセンダ。
【請求項２】
前記非接触センサは、非接触ポテンショメータである、請求項１に記載のレベルセンダ。
【請求項３】
前記スイベルは、前記タンクの内面に固定されており、前記駆動部材の回転を許容するように構成された、請求項１に記載のレベルセンダ。
【請求項４】
前記被駆動部材は、径方向磁石であり、前記径方向磁石の軸方向端部は、前記非接触センサに向き合う、請求項１に記載のレベルセンダ。
【請求項５】
前記径方向磁石の軸方向端部は、前記非接触センサに向き合うＮ極面とＳ極面とを備え、前記径方向磁石は、前記中心軸が該径方向磁石のＮ極面とＳ極面との間を通るように配置されている、請求項４に記載のレベルセンダ。
【請求項６】
前記フロートアセンブリは、さらに、前記中心軸に平行なガイドまたはガイドロッドを１つ又は複数備えており、前記フロートの前記本体は、さらに、前記中心軸に平行な少なくとも１つの軸方向に延びるガイド通路を含む、請求項１に記載のレベルセンダ。
【請求項７】
前記被駆動部材は、前記センサ装置の所定の近傍に軸方向に配置された、請求項１に記載のレベルセンダ。
【請求項８】
前記駆動部材は、１回の完全回転によってねじられた長手方向に延びるストリップを有するらせん状の装置である、請求項１に記載のレベルセンダ。
【請求項９】
前記らせん状の装置は、前記フロートの前記本体の軸方向に延びる駆動通路を通り抜ける、請求項８に記載のレベルセンダ。
【請求項１０】
タンク内の液体のレベルを判定するための方法であって、
前記方法は、被駆動部材を軸回転させることを含み、
前記被駆動部材は、前記タンク内の液体と連通するフロートアセンブリを介して磁石を含み、前記フロートアセンブリは、駆動部材、スイベル、及び、フロートを含み、
前記駆動部材は、一端が前記磁石に直接結合され、他端がスイベルに結合され、
前記磁石は、該磁石が回転する長手方向軸を備え、
前記磁石と前記駆動部材の一端とが、前記長手方向軸の回りをともに回転し、
前記方法は、さらに、中心軸を備える非接触センサを含むセンサ装置を用いて、前記タンク内の液体のレベルに関連した前記被駆動部材の軸回転位置を判定することと、を含み、
前記フロートは、軸方向に延びる駆動通路を有する本体を備えており、前記本体は、前記中心軸と整列した長手方向軸に沿って上下に移動して前記駆動部材を回転させ、
前記センサ装置を担持するキャリアが、前記タンクの外側に別個に取り付けられており、かつ、前記被駆動部材は前記フロートアセンブリとともに前記タンクの内側に備えられ、前記被駆動部材が前記センサ装置の近傍に配置されるように、前記被駆動部材は前記キャリアと整列されている、方法。
【請求項１１】
前記非接触センサは、非接触ポテンショメータである、請求項１０に記載の方法。
【請求項１２】
前記磁石は、径方向磁石である、請求項１０に記載の方法。
【請求項１３】
前記径方向磁石の軸方向端部は、前記非接触センサに向き合う、請求項１２に記載の方法。
【請求項１４】
前記径方向磁石の軸方向端部は、前記非接触センサに向き合うＮ極面とＳ極面とを備える、請求項１３に記載の方法。
【請求項１５】
前記径方向磁石は前記中心軸の回りを回転し、かつ、前記径方向磁石は、前記中心軸が該径方向磁石のＮ極面とＳ極面との間を通るように配置されている、請求項１４に記載の方法。
【請求項１６】
前記スイベルは、前記タンクの内面に固定されており、前記駆動部材の回転を許容するように構成された、請求項１０に記載の方法。
【請求項１７】
前記フロートアセンブリは、さらに、前記中心軸に平行なガイドまたはガイドロッドを１つ又は複数備えており、前記フロートの前記本体は、さらに、前記中心軸に平行な少なくとも１つの軸方向に延びるガイド通路を含む、請求項１０に記載の方法。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
符号化された方向性信号と符号化されたアンビエント信号を含む圧縮された高次アンビソニックス（ＨＯＡ）信号を圧縮解除する、圧縮解除装置によって実行される方法であって、
前記圧縮されたＨＯＡ信号を受信することと、
前記圧縮されたＨＯＡ信号を知覚復号化し、復号化された方向性ＨＯＡ信号と復号化されたアンビエントＨＯＡ信号を生成することと、
前記符号化された方向性信号に関連するサイド情報を取得することであって、前記サイド情報は、均一に間隔が空けられた向きの組から選択された前記方向性信号の向きを含む、ことと、
前記復号化されたアンビエントＨＯＡ信号に対して前記サイド情報に基づいて次数拡張を実行して、前記復号化されたアンビエントＨＯＡ信号の表現を得ることと、
前記復号化されたアンビエントＨＯＡ信号の表現と前記復号化された方向性ＨＯＡ信号から、復号化されたＨＯＡ表現を再構成することと、
を含む、
方法。
【請求項２】
前記復号化されたＨＯＡ表現が１を超える次数を有する、請求項１に記載の方法。
【請求項３】
前記復号化されたアンビエントＨＯＡ信号の次数が、前記復号化されたＨＯＡ表現の前記次数より小さい、請求項２に記載の方法。
【請求項４】
符号化された方向性信号と符号化されたアンビエント信号を含む圧縮された高次アンビソニックス（ＨＯＡ）信号表現を圧縮解除する装置であって、
前記圧縮されたＨＯＡ信号を受信する入力インタフェースと、
前記圧縮されたＨＯＡ信号を知覚復号化し、復号化された方向性ＨＯＡ信号と復号化されたアンビエントＨＯＡ信号を生成するオーディオデコーダと、
前記符号化された方向性信号に関連するサイド情報を取得する手段であって、前記サイド情報は、均一に間隔が空けられた向きの組から選択された前記方向性信号の向きを含む、手段と、
前記復号化されたアンビエントＨＯＡ信号に対して前記サイド情報に基づいて次数拡張を実行して、前記復号化されたアンビエントＨＯＡ信号の表現を得るプロセッサと、
前記復号化されたアンビエントＨＯＡ信号の表現と前記復号化された方向性ＨＯＡ信号から、復号化されたＨＯＡ信号を再構成する合成器と、
を含む、
装置。
【請求項５】
前記復号化されたＨＯＡ表現が１を超える次数を有する、請求項４に記載の装置。
【請求項６】
前記復号化されたアンビエントＨＯＡ信号の次数が、前記復号化されたＨＯＡ表現の前記次数より小さい、請求項５に記載の装置。
【請求項７】
プロセッサによって実行されたときに請求項１に記載の方法を実行する命令を含む非一時的コンピュータ読み取り可能記憶媒体。
【手続補正書】
【提出日】令和3年10月27日(2021.10.27)
【手続補正１】
【補正対象書類名】特許請求の範囲
【補正対象項目名】全文
【補正方法】変更
【補正の内容】
【特許請求の範囲】
【請求項１】
施設の利用者の顔認証に関する情報を蓄積して管理する顔認証管理サーバであって、
前記利用者の顔画像を登録する登録装置により取得された前記利用者ごとの登録用の顔画像およびその顔画像以外の情報であって前記各利用者の特定に用いられる特定情報を関連づけて管理する利用者管理部と、
前記利用者の認証用の顔画像を取得する顔認証機に関する情報を管理する機器管理部と、
前記利用者管理部および前記機器管理部による情報の管理状態を確認または変更するための管理用画面を生成する画面生成部と、を備え、
前記画面生成部は、
前記顔認証機によって取得できない情報を含む利用者情報を追加した前記管理用画面を生成することを特徴とする顔認証管理サーバ。
【請求項２】
前記画面生成部は、
前記管理用画面として、前記施設において過去に開催された会議に関する情報を取得するための会議室検索画面を生成することを特徴とする請求項１に記載の管理サーバ。
【請求項３】
前記会議室検索画面は、前記利用者の所定の会議室への入室履歴の情報に基づき生成されることを特徴とする請求項２に記載の顔認証管理サーバ。
【請求項４】
前記画面生成部は、
前記管理用画面として、前記会議において過去に同席した人物に関する人脈検索画面を生成することを特徴とする請求項２または請求項３に記載の顔認証管理サーバ。
【請求項５】
前記利用者ごとの前記登録用の顔画像および前記特定情報を暗号化する暗号化部を更に備えたことを特徴とする請求項１から請求項４のいずれかに記載の顔認証管理サーバ。
【請求項６】
前記顔認証に関する情報を構成する一部の情報と代替可能な匿名化された情報を生成する匿名情報生成部を更に備えたことを特徴とする請求項１から請求項５のいずれかに記載の管理サーバ。
【請求項７】
施設の利用者の顔認証に関する情報を情報処理装置により、蓄積して管理する顔認証管理方法であって、
前記情報処理装置は、
前記利用者の顔画像を登録する登録装置により取得された前記利用者ごとの登録用の顔画像およびその顔画像以外の情報であって前記各利用者の特定に用いられる特定情報を関連づけて管理し、
前記利用者の認証用の顔画像を取得する顔認証機に関する情報を管理し、
前記登録用の顔画像および前記特定情報ならびに前記顔認証機についての情報の管理状態を確認または変更するための管理用画面を生成し、
さらに、前記顔認証機によって取得できない情報を含む利用者情報を追加した前記管理用画面を生成することを特徴とする顔認証管理方法。
【手続補正２】
【補正対象書類名】明細書
【補正対象項目名】０００７
【補正方法】変更
【補正の内容】
【０００７】
本開示の顔認証管理サーバは、施設の利用者の顔認証に関する情報を蓄積して管理する顔認証管理サーバであって、前記利用者の顔画像を登録する登録装置により取得された前記利用者ごとの登録用の顔画像およびその顔画像以外の情報であって前記各利用者の特定に用いられる特定情報を関連づけて管理する利用者管理部と、前記利用者の認証用の顔画像を取得する顔認証機に関する情報を管理する機器管理部と、前記利用者管理部および前記機器管理部による情報の管理状態を確認または変更するための管理用画面を生成する画面生成部と、を備え、前記画面生成部は、前記顔認証機によって取得できない情報を含む利用者情報を追加した前記管理用画面を生成する構成とする。
【手続補正３】
【補正対象書類名】明細書
【補正対象項目名】０００８
【補正方法】変更
【補正の内容】
【０００８】
また、本開示の顔認証管理方法は、施設の利用者の顔認証に関する情報を情報処理装置により、蓄積して管理する顔認証管理方法であって、前記情報処理装置は、前記利用者の顔画像を登録する登録装置により取得された前記利用者ごとの登録用の顔画像およびその顔画像以外の情報であって前記各利用者の特定に用いられる特定情報を関連づけて管理し、前記利用者の認証用の顔画像を取得する顔認証機に関する情報を管理し、前記登録用の顔画像および前記特定情報ならびに前記顔認証機についての情報の管理状態を確認または変更するための管理用画面を生成し、さらに、前記顔認証機によって取得できない情報を含む利用者情報を追加した前記管理用画面を生成する構成とする。
【手続補正４】
【補正対象書類名】明細書
【補正対象項目名】００１１
【補正方法】変更
【補正の内容】
【００１１】
前記課題を解決するためになされた第１の発明は、施設の利用者の顔認証に関する情報を蓄積して管理する顔認証管理サーバであって、前記利用者の顔画像を登録する登録装置により取得された前記利用者ごとの登録用の顔画像およびその顔画像以外の情報であって前記各利用者の特定に用いられる特定情報を関連づけて管理する利用者管理部と、前記利用者の認証用の顔画像を取得する顔認証機に関する情報を管理する機器管理部と、前記利用者管理部および前記機器管理部による情報の管理状態を確認または変更するための管理用画面を生成する画面生成部と、を備え、前記画面生成部は、前記顔認証機によって取得できない情報を含む利用者情報を追加した前記管理用画面を生成する構成とする。
【手続補正５】
【補正対象書類名】明細書
【補正対象項目名】００２３
【補正方法】変更
【補正の内容】
【００２３】
また、第７の発明は、施設の利用者の顔認証に関する情報を情報処理装置により、蓄積して管理する顔認証管理方法であって、前記情報処理装置は、前記利用者の顔画像を登録する登録装置により取得された前記利用者ごとの登録用の顔画像およびその顔画像以外の情報であって前記各利用者の特定に用いられる特定情報を関連づけて管理し、前記利用者の認証用の顔画像を取得する顔認証機に関する情報を管理し、前記登録用の顔画像および前記特定情報ならびに前記顔認証機についての情報の管理状態を確認または変更するための管理用画面を生成し、さらに、前記顔認証機によって取得できない情報を含む利用者情報を追加した前記管理用画面を生成する構成とする。
【手続補正書】
【提出日】令和3年10月27日(2021.10.27)
【手続補正１】
【補正対象書類名】特許請求の範囲
【補正対象項目名】全文
【補正方法】変更
【補正の内容】
【特許請求の範囲】
【請求項１】
施設の利用者の顔認証に用いられる顔画像を登録する顔認証登録装置であって、
前記顔画像の情報を含む複数の個人情報を取得する１以上の個人情報取得部と、
前記個人情報取得部によって取得される前記個人情報の登録手順を、前記利用者に対して表示する表示部と、
前記個人情報取得部および前記表示部を制御するプロセッサと、を備え、
前記プロセッサは、
前記登録手順として、前記個人情報の登録後の取扱に関する前記利用者の同意を得るための第１の画面、前記個人情報の登録操作を前記利用者に案内するための第２の画面、前記個人情報の登録完了を前記利用者に通知するための第３の画面を前記表示部に表示させることを特徴とする顔認証登録装置。
【請求項２】
前記プロセッサは、
前記利用者の顔画像を管理する顔管理サーバに対し、前記個人情報をネットワークを介して送信し、
前記顔管理サーバによって前記個人情報が登録された後に、前記第３の画面を前記表示部に表示させることを特徴とする請求項１に記載の顔認証登録装置。
【請求項３】
前記プロセッサは、  
前記顔管理サーバによって前記個人情報が登録された後に、前記個人情報取得部によって取得された前記個人情報を削除することを特徴とする請求項２に記載の顔認証登録装置。
【請求項４】
前記個人情報取得部は、前記個人情報として、前記利用者が所持する名刺に表示された情報を取得することを特徴とする請求項１から請求項３のいずれかに記載の顔認証登録装置。
【請求項５】
前記個人情報取得部は、前記個人情報として、前記利用者が所持する決済用のカードに表示された情報を取得することを特徴とする請求項１から請求項３のいずれかに記載の顔認証登録装置。
【請求項６】
前記個人情報取得部は、前記個人情報として、前記施設内における前記利用者の滞在場所を示す情報を取得することを特徴とする請求項１から請求項３のいずれかに記載の顔認証登録装置。
【請求項７】
施設の利用者の顔認証に用いられる顔画像を登録する顔認証登録方法であって、
前記顔画像の情報を含む複数の個人情報を取得し、
前記個人情報の登録手順を、前記利用者に対して表示部に表示し、
前記登録手順として、前記個人情報の登録後の取扱に関する前記利用者の同意を得るための第１の画面、前記個人情報の登録操作を前記利用者に案内するための第２の画面、前記個人情報の登録完了を前記利用者に通知するための第３の画面を前記表示部へ表示させることを特徴とする顔認証登録方法。
【手続補正２】
【補正対象書類名】明細書
【補正対象項目名】０００７
【補正方法】変更
【補正の内容】
【０００７】
本開示の顔認証登録装置は、施設の利用者の顔認証に用いられる顔画像を登録する顔認証登録装置であって、前記顔画像の情報を含む複数の個人情報を取得する１以上の個人情報取得部と、前記個人情報取得部によって取得される前記個人情報の登録手順を、前記利用者に対して表示する表示部と、前記個人情報取得部および前記表示部を制御するプロセッサと、を備え、前記プロセッサは、前記登録手順として、前記個人情報の登録後の取扱に関する前記利用者の同意を得るための第１の画面、前記個人情報の登録操作を前記利用者に案内するための第２の画面、前記個人情報の登録完了を前記利用者に通知するための第３の画面を前記表示部に表示させる構成とする。
【手続補正３】
【補正対象書類名】明細書
【補正対象項目名】０００８
【補正方法】変更
【補正の内容】
【０００８】
また、本開示の顔認証登録方法は、施設の利用者の顔認証に用いられる顔画像を登録する顔認証登録方法であって、前記顔画像の情報を含む複数の個人情報を取得し、前記個人情報の登録手順を、前記利用者に対して表示部に表示し、前記登録手順として、前記個人情報の登録後の取扱に関する前記利用者の同意を得るための第１の画面、前記個人情報の登録操作を前記利用者に案内するための第２の画面、前記個人情報の登録完了を前記利用者に通知するための第３の画面を前記表示部へ表示させる構成とする。
【手続補正４】
【補正対象書類名】明細書
【補正対象項目名】００１１
【補正方法】変更
【補正の内容】
【００１１】
前記課題を解決するためになされた第１の発明は、施設の利用者の顔認証に用いられる顔画像を登録する顔認証登録装置であって、前記顔画像の情報を含む複数の個人情報を取得する１以上の個人情報取得部と、前記個人情報取得部によって取得される前記個人情報の登録手順を、前記利用者に対して表示する表示部と、前記個人情報取得部および前記表示部を制御するプロセッサと、を備え、前記プロセッサは、前記登録手順として、前記個人情報の登録後の取扱に関する前記利用者の同意を得るための第１の画面、前記個人情報の登録操作を前記利用者に案内するための第２の画面、前記個人情報の登録完了を前記利用者に通知するための第３の画面を前記表示部に表示させる構成とする。
【手続補正５】
【補正対象書類名】明細書
【補正対象項目名】００１２
【補正方法】変更
【補正の内容】
【００１２】
これによると、利用者が個人情報を登録する際に、個人情報の登録後の取扱に関する利用者の同意を得るための第１の画面、個人情報の登録操作を利用者に案内するための第２の画面、個人情報の登録完了を利用者に通知するための第３の画面を表示部に表示させるため、顔認証に用いられる利用者の顔画像の登録を簡易に実行することが可能となる。
【手続補正６】
【補正対象書類名】明細書
【補正対象項目名】００１３
【補正方法】変更
【補正の内容】
【００１３】
また、第２の発明は、前記プロセッサは、前記利用者の顔画像を管理する顔管理サーバに対し、前記個人情報をネットワークを介して送信し、前記顔管理サーバによって前記個人情報が登録された後に、前記第３の画面を前記表示部に表示させる構成とする。
【手続補正７】
【補正対象書類名】明細書
【補正対象項目名】００２３
【補正方法】変更
【補正の内容】
【００２３】
また、第７の発明は、施設の利用者の顔認証に用いられる顔画像を登録する顔認証登録方法であって、前記顔画像の情報を含む複数の個人情報を取得し、前記個人情報の登録手順を、前記利用者に対して表示部に表示し、前記登録手順として、前記個人情報の登録後の取扱に関する前記利用者の同意を得るための第１の画面、前記個人情報の登録操作を前記利用者に案内するための第２の画面、前記個人情報の登録完了を前記利用者に通知するための第３の画面を前記表示部へ表示させる構成とする。
【手続補正８】
【補正対象書類名】明細書
【補正対象項目名】００２４
【補正方法】変更
【補正の内容】
【００２４】
これによると、利用者が個人情報を登録する際に、個人情報の登録後の取扱に関する利用者の同意を得るための第１の画面、個人情報の登録操作を利用者に案内するための第２の画面、個人情報の登録完了を利用者に通知するための第３の画面を表示部に表示させるため、顔認証に用いられる利用者の顔画像の登録を簡易に実行することが可能となる。
【手続補正書】
【提出日】令和3年10月27日(2021.10.27)
【手続補正１】
【補正対象書類名】特許請求の範囲
【補正対象項目名】全文
【補正方法】変更
【補正の内容】
【特許請求の範囲】
【請求項１】
施設の利用者の顔認証を実行する顔認証サーバに対し、前記施設の外部システムとして構成される入退場用のゲート装置の前記利用者の通過時に前記顔認証の処理要求を行って、その認証結果により前記ゲート装置の開閉を制御するゲート開閉制御装置であって、
前記ゲート装置を通過する前の前記利用者を撮影し、前記利用者の認証用の顔画像を取得する顔画像取得部と、
前記認証用の顔画像に基づき、前記顔認証サーバに対して前記顔認証の処理要求を送信する送信部と、
前記顔認証サーバから返信される認証結果を受信する受信部と、
前記認証結果を制御信号として前記外部システムへ送信する制御信号送信部と、を備え、
前記外部システムのプロセッサが前記制御信号を受信し、前記ゲート装置の開閉制御信号に反映させることを特徴とするゲート開閉制御装置。
【請求項２】
前記ゲート装置から電力供給を受ける給電部を備えたことを特徴とする請求項１に記載のゲート開閉制御装置。
【請求項３】
前記認証用の顔画像を記憶する記憶部を更に備え、
前記記憶部に記憶された前記認証用の顔画像は、前記顔認証処理が完了した後に削除されることを特徴とする請求項１または請求項２に記載のゲート開閉制御装置。
【請求項４】
施設の利用者の顔認証を実行する顔認証サーバに対し、前記施設の外部システムとして構成される入退場用のゲート装置の前記利用者の通過時に前記顔認証の処理要求を行って、その認証結果により前記ゲート装置の開閉を制御するゲート開閉制御方法であって、
前記ゲート装置を通過する前の前記利用者を撮影し、前記利用者の認証用の顔画像を取得し、
前記認証用の顔画像に基づき、前記顔認証サーバに対して前記顔認証の処理要求を送信し、
前記顔認証サーバから返信される認証結果を受信し、
前記認証結果を制御信号として前記外部システムへ送信し、
前記外部システムのプロセッサが前記制御信号を受信し、前記ゲート装置の開閉制御信号に反映させることを特徴とするゲート開閉制御方法。
【手続補正２】
【補正対象書類名】明細書
【補正対象項目名】０００７
【補正方法】変更
【補正の内容】
【０００７】
本開示のゲート開閉制御装置は、施設の利用者の顔認証を実行する顔認証サーバに対し、前記施設の外部システムとして構成される入退場用のゲート装置の前記利用者の通過時に前記顔認証の処理要求を行って、その認証結果により前記ゲート装置の開閉を制御するゲート開閉制御装置であって、前記ゲート装置を通過する前の前記利用者を撮影し、前記利用者の認証用の顔画像を取得する顔画像取得部と、前記認証用の顔画像に基づき、前記顔認証サーバに対して前記顔認証の処理要求を送信する送信部と、前記顔認証サーバから返信される認証結果を受信する受信部と、前記認証結果を制御信号として前記外部システムへ送信する制御信号送信部と、を備え、前記外部システムのプロセッサが前記制御信号を受信し、前記ゲート装置の開閉制御信号に反映させる構成とする。
【手続補正３】
【補正対象書類名】明細書
【補正対象項目名】０００８
【補正方法】変更
【補正の内容】
【０００８】
また、本開示のゲート開閉制御方法は、施設の利用者の顔認証を実行する顔認証サーバに対し、前記施設の外部システムとして構成される入退場用のゲート装置の前記利用者の通過時に前記顔認証の処理要求を行って、その認証結果により前記ゲート装置の開閉を制御するゲート開閉制御方法であって、前記ゲート装置を通過する前の前記利用者を撮影し、前記利用者の認証用の顔画像を取得し、前記認証用の顔画像に基づき、前記顔認証サーバに対して前記顔認証の処理要求を送信し、前記顔認証サーバから返信される認証結果を受信し、前記認証結果を制御信号として前記外部システムへ送信し、前記外部システムのプロセッサが前記制御信号を受信し、前記ゲート装置の開閉制御信号に反映させる構成とする。
【手続補正４】
【補正対象書類名】明細書
【補正対象項目名】００１１
【補正方法】変更
【補正の内容】
【００１１】
前記課題を解決するためになされた第１の発明は、施設の利用者の顔認証を実行する顔認証サーバに対し、前記施設の外部システムとして構成される入退場用のゲート装置の前記利用者の通過時に前記顔認証の処理要求を行って、その認証結果により前記ゲート装置の開閉を制御するゲート開閉制御装置であって、前記ゲート装置を通過する前の前記利用者を撮影し、前記利用者の認証用の顔画像を取得する顔画像取得部と、前記認証用の顔画像に基づき、前記顔認証サーバに対して前記顔認証の処理要求を送信する送信部と、前記顔認証サーバから返信される認証結果を受信する受信部と、前記認証結果を制御信号として前記外部システムへ送信する制御信号送信部と、を備え、前記外部システムのプロセッサが前記制御信号を受信し、前記ゲート装置の開閉制御信号に反映させる構成とする。
【手続補正５】
【補正対象書類名】明細書
【補正対象項目名】００１７
【補正方法】変更
【補正の内容】
【００１７】
また、第４の発明は、施設の利用者の顔認証を実行する顔認証サーバに対し、前記施設の外部システムとして構成される入退場用のゲート装置の前記利用者の通過時に前記顔認証の処理要求を行って、その認証結果により前記ゲート装置の開閉を制御するゲート開閉制御方法であって、前記ゲート装置を通過する前の前記利用者を撮影し、前記利用者の認証用の顔画像を取得し、前記認証用の顔画像に基づき、前記顔認証サーバに対して前記顔認証の処理要求を送信し、前記顔認証サーバから返信される認証結果を受信し、前記認証結果を制御信号として前記外部システムへ送信し、前記外部システムのプロセッサが前記制御信号を受信し、前記ゲート装置の開閉制御信号に反映させる構成とする。
【手続補正書】
【提出日】令和3年10月27日(2021.10.27)
【手続補正１】
【補正対象書類名】特許請求の範囲
【補正対象項目名】全文
【補正方法】変更
【補正の内容】
【特許請求の範囲】
【請求項１】
施設の利用者の顔認証を実行する顔認証サーバに対し、前記施設内における前記利用者の行為に基づくイベントの発生時に前記顔認証の処理要求を行って、その認証結果を前記利用者に通知する顔認証機であって、
前記利用者の顔画像を含む前記施設内における所定の撮影エリアのライブ画像を取得する顔画像取得部と、
前記顔画像取得部で取得した前記ライブ画像および前記顔認証の進行状況を表示する表示部と、
前記顔画像取得部および前記表示部を制御するプロセッサと、を備え、
前記プロセッサは、
前記利用者の接近を検知すると、前記ライブ画像を表示させて、前記顔認証の待機状態にあることを示す待機画面を表示させ、さらに、前記ライブ画像から前記利用者の顔を検知すると、前記顔認証の前記進行状況を示す２以上の通知画面を前記表示部に順次表示させることを特徴とする顔認証機。
【請求項２】
前記プロセッサは、
前記通知画面の１つにおいて、前記利用者の認証が進行中であることを示す文字または図形を表示させることを特徴とする請求項１に記載の顔認証機。
【請求項３】
前記プロセッサは、
前記通知画面の１つにおいて、前記利用者の認証が完了したことを示す文字または図形を表示させることを特徴とする請求項１または請求項２に記載の顔認証機。
【請求項４】
前記プロセッサは、
前記顔認証処理が完了した後に、前記認証用の顔画像を削除することを特徴とする請求項１から請求項３のいずれかに記載の顔認証機。
【請求項５】
前記イベントとして前記利用者の前記施設内の会議室への入室時に前記顔認証の処理要求を行い、
前記会議室に入室した複数の前記利用者を関連づけた入室履歴の情報を生成する履歴情報生成部を更に備えたことを特徴とする請求項１から請求項４のいずれかに記載の顔認証機。
【請求項６】
施設の利用者の顔認証を実行する顔認証サーバに対し、前記施設内における前記利用者の行為に基づくイベントの発生時に前記顔認証処理の要求を行って、その認証結果を前記利用者に通知する顔認証機による顔認証方法であって、
前記利用者の顔画像を含む前記施設内における所定の撮影エリアのライブ画像を取得し、
取得した前記ライブ画像および前記顔認証の進行状況を表示部に表示させる際、
前記表示部に表示される画面として、
前記利用者の接近を検知すると、前記ライブ画像を表示させて、前記顔認証の待機状態にあることを示す待機画面を表示し、さらに、前記ライブ画像から前記利用者の顔を検知すると、前記顔認証の前記進行状況を示す２以上の通知画面が順次表示されることを特徴とする顔認証方法。
【手続補正２】
【補正対象書類名】明細書
【補正対象項目名】０００７
【補正方法】変更
【補正の内容】
【０００７】
本開示の顔認証機は、施設の利用者の顔認証を実行する顔認証サーバに対し、前記施設内における前記利用者の行為に基づくイベントの発生時に前記顔認証の処理要求を行って、その認証結果を前記利用者に通知する顔認証機であって、前記利用者の顔画像を含む前記施設内における所定の撮影エリアのライブ画像を取得する顔画像取得部と、前記顔画像取得部で取得した前記ライブ画像および前記顔認証の進行状況を表示する表示部と、前記顔画像取得部および前記表示部を制御するプロセッサと、を備え、前記プロセッサは、前記利用者の接近を検知すると、前記ライブ画像を表示させて、前記顔認証の待機状態にあることを示す待機画面を表示させ、さらに、前記ライブ画像から前記利用者の顔を検知すると、前記顔認証の前記進行状況を示す２以上の通知画面を前記表示部に順次表示させる構成とする。
【手続補正３】
【補正対象書類名】明細書
【補正対象項目名】０００８
【補正方法】変更
【補正の内容】
【０００８】
また、本開示の顔認証方法は、施設の利用者の顔認証を実行する顔認証サーバに対し、前記施設内における前記利用者の行為に基づくイベントの発生時に前記顔認証処理の要求を行って、その認証結果を前記利用者に通知する顔認証機による顔認証方法であって、前記利用者の顔画像を含む前記施設内における所定の撮影エリアのライブ画像を取得し、取得した前記ライブ画像および前記顔認証の進行状況を表示部に表示させる際、前記表示部に表示される画面として、前記利用者の接近を検知すると、前記ライブ画像を表示させて、前記顔認証の待機状態にあることを示す待機画面を表示し、さらに、前記ライブ画像から前記利用者の顔を検知すると、前記顔認証の前記進行状況を示す２以上の通知画面が順次表示される構成とする。
【手続補正４】
【補正対象書類名】明細書
【補正対象項目名】００１１
【補正方法】変更
【補正の内容】
【００１１】
前記課題を解決するためになされた第１の発明は、施設の利用者の顔認証を実行する顔認証サーバに対し、前記施設内における前記利用者の行為に基づくイベントの発生時に前記顔認証の処理要求を行って、その認証結果を前記利用者に通知する顔認証機であって、前記利用者の顔画像を含む前記施設内における所定の撮影エリアのライブ画像を取得する顔画像取得部と、前記顔画像取得部で取得した前記ライブ画像および前記顔認証の進行状況を表示する表示部と、前記顔画像取得部および前記表示部を制御するプロセッサと、を備え、前記プロセッサは、前記利用者の接近を検知すると、前記ライブ画像を表示させて、前記顔認証の待機状態にあることを示す待機画面を表示させ、さらに、前記ライブ画像から前記利用者の顔を検知すると、前記顔認証の前記進行状況を示す２以上の通知画面を前記表示部に順次表示させる構成とする。
【手続補正５】
【補正対象書類名】明細書
【補正対象項目名】００２１
【補正方法】変更
【補正の内容】
【００２１】
また、第６の発明は、施設の利用者の顔認証を実行する顔認証サーバに対し、前記施設内における前記利用者の行為に基づくイベントの発生時に前記顔認証処理の要求を行って、その認証結果を前記利用者に通知する顔認証機による顔認証方法であって、前記利用者の顔画像を含む前記施設内における所定の撮影エリアのライブ画像を取得し、取得した前記ライブ画像および前記顔認証の進行状況を表示部に表示させる際、前記表示部に表示される画面として、前記利用者の接近を検知すると、前記ライブ画像を表示させて、前記顔認証の待機状態にあることを示す待機画面を表示し、さらに、前記ライブ画像から前記利用者の顔を検知すると、前記顔認証の前記進行状況を示す２以上の通知画面が順次表示される構成とする。
【手続補正書】
【提出日】令和3年6月28日(2021.6.28)
【手続補正１】
【補正対象書類名】明細書
【補正対象項目名】０００４
【補正方法】変更
【補正の内容】
【０００４】
しかし、従来システムは経営計画の立案段階が主であり、運用段階には目が向けられていない。本発明はこのような事情に鑑みてなされたものである。その目的は、計画の運用段階において、計画と実績又は予測との乖離が大きい場合に、警告を出力可能な計画運用プログラム等の提供である。
【手続補正２】
【補正対象書類名】明細書
【補正対象項目名】０００５
【補正方法】変更
【補正の内容】
【０００５】
本発明に係る計画運用プログラムは、所定の期間が経過する毎に、経営計画に関連する複数の項目を含む計画データ、及び、前記経営計画に対応する実績データを取得し、前記計画データの前記項目毎に、前記実績データとの乖離を示す第１の度合いを算出し、会計年度の開始月から所定月までの前記実績データ及び所定月以降から終了月までの予測データに基づいて、終了月末における前記項目毎の年度予測データを予測し、前記計画データの前記項目毎に、前記年度予測データとの乖離を示す第２の度合いを算出し、算出した前記項目毎の第１の度合い又は第２の度合いが、予め設定したしきい値を超える場合、警告を送信する処理をコンピュータに行わせる。
【手続補正３】
【補正対象書類名】明細書
【補正対象項目名】０００６
【補正方法】変更
【補正の内容】
【０００６】
本発明にあっては、計画と実績又は予測との乖離が大きい場合に、警告を出力することが可能となる。
【手続補正４】
【補正対象書類名】特許請求の範囲
【補正対象項目名】全文
【補正方法】変更
【補正の内容】
【特許請求の範囲】
【請求項１】
所定の期間が経過する毎に、経営計画に関連する複数の項目を含む計画データ、及び、前記経営計画に対応する実績データを取得し、
前記計画データの前記項目毎に、前記実績データとの乖離を示す第１の度合いを算出し、
会計年度の開始月から所定月までの前記実績データ及び所定月以降から終了月までの予測データに基づいて、終了月末における前記項目毎の年度予測データを予測し、
前記計画データの前記項目毎に、前記年度予測データとの乖離を示す第２の度合いを算出し、
算出した前記項目毎の第１の度合い又は第２の度合いが、予め設定したしきい値を超える場合、警告を送信する
処理をコンピュータに行わせることを特徴とする計画運用プログラム。
【請求項２】
対象とする前記項目についての前記計画データ及び前記実績データ又は前記予測データを表形式で配置したレイアウトを取得し、
取得した前記レイアウトにしたがった表示を可能とするレポートを出力する
ことを特徴とする請求項１に記載の計画運用プログラム。
【請求項３】
前記レポートの形式についての指定情報を取得し、
取得した前記指定情報に基づいて、対象とする前記項目についての前記レポートを生成する
ことを特徴とする請求項２に記載の計画運用プログラム。
【請求項４】
前記実績データ又は前記年度予測データに基づいて、経営計画データを再作成する
ことを特徴とする請求項１から請求項３のいずれか１項に記載の計画運用プログラム。
【請求項５】
会計年度の開始月から所定月までの前記実績データ及び前年以前の実績データに基づいて、所定月以降から終了月まで前記予測データを作成する
ことを特徴とする請求項１から請求項４のいずれか１項に記載の計画運用プログラム。
【請求項６】
コンピュータが、
所定の期間が経過する毎に、経営計画に関連する複数の項目を含む計画データ、及び、前記経営計画に対応する実績データを取得し、
前記計画データの前記項目毎に、前記実績データとの乖離を示す第１の度合いを算出し、
会計年度の開始月から所定月までの前記実績データ及び所定月以降から終了月までの予測データに基づいて、終了月末における前記項目毎の年度予測データを予測し、
前記計画データの前記項目毎に、前記年度予測データとの乖離を示す第２の度合いを算出し、
算出した前記項目毎の第１の度合い又は第２の度合いが、予め設定したしきい値を超える場合、警告を送信する
ことを特徴とする計画運用方法。
【請求項７】
所定の期間が経過する毎に、経営計画に関連する複数の項目を含む計画データ、及び、前記経営計画に対応する実績データを取得する予実データ取得部と、
前記計画データの前記項目毎に、前記実績データとの乖離を示す第１の度合いを算出する第１算出部と、
会計年度の開始月から所定月までの前記実績データ及び所定月以降から終了月までの予測データに基づいて、終了月末における前記項目毎の年度予測データを予測する予測部と、
前記計画データの前記項目毎に、前記年度予測データとの乖離を示す第２の度合いを算出する第２算出部と、
算出した前記項目毎の第１の度合い又は第２の度合いが、予め設定したしきい値を超える場合、警告を送信する送信部と
を備えることを特徴とする計画運用装置。